(57)【要約】【課題】通信環境の変化に対して高い追従性で符号化率を適正化し、迅速に回線の利用効率を高めることが可能な衛星通信システムを提供する。【解決手段】受信信号レベル検出回路１２１は、受信信号の電力レベルを検出する。ＵＷパターン検出回路１２５は、受信データからＵＷパターンを検出し、これから通信相手側が希望する符号化率を判定する。誤り訂正制御回路１２７は、受信データの誤り訂正の発生頻度を測定し、この発生頻度と、受信信号レベル検出回路１２１の検出レベルとに基づいて最適な符号化率を決定する。制御処理部１００は、ＵＷパターン検出回路１２５の判定結果や誤り訂正制御回路１２７で決定した符号化率に基づいて符号化率情報を生成し、これを畳込み符号化回路１０１およびＵＷパターン付加回路１０２に与えて通信相手局とやりとりを行い、送受信で用いる符号化率の可変制御を行うようにしたものである。【選択図】    図１
2004356665.tif 000002
【特許請求の範囲】
【請求項１】
人工衛星と通信する衛星通信装置において、
受信信号の電力レベルを検出する電力レベル検出手段と、
この電力レベル検出手段の検出結果に基づいて、符号化率を決定する決定手段と、
この決定手段が決定した符号化率で送信データを符号化して送信する送信制御手段とを具備することを特徴とする衛星通信装置。
【請求項２】
人工衛星と通信する衛星通信装置において、
受信信号に対する誤り訂正の発生率を検出する誤り率検出手段と、
受信信号の電力レベルを検出する電力レベル検出手段と、
前記誤り率検出手段の検出結果と、前記電力レベル検出手段の検出結果とに基づいて、符号化率を決定する決定手段と、
この決定手段が決定した符号化率で送信データを符号化して送信する送信制御手段とを具備することを特徴とする衛星通信装置。
【請求項３】
前記決定手段は、前記誤り率検出手段の検出結果が予め設定した閾値以下の場合に、前記電力レベル検出手段の検出結果に応じた符号化率に決定することを特徴とする請求項１または請求項２に記載の衛星通信装置。
【請求項４】
前記決定手段は、前記誤り率検出手段の検出結果が予め設定した閾値以下の場合に、前記電力レベル検出手段の検出レベルが高いほど、符号化率を高い値に決定することを特徴とする請求項１または請求項２に記載の衛星通信装置。
【請求項５】
さらに、前記通信相手から符号化率を示す符号化率情報を受信する受信手段とを備え、
前記送信制御手段は、前記受信手段が受信した符号化率情報が示す符号化率と、前記決定手段が決定した符号化率とに基づいて符号化率を決定し、この符号化率で送信データを符号化して送信することを特徴とする請求項１乃至請求項４のいずれかに記載の衛星通信装置。
【発明の詳細な説明】
【０００１】
【発明の属する技術分野】
この発明は、伝送する情報量に応じて伝送速度を可変する衛星通信システムに関する。
【０００２】
【従来の技術】
周知のように、従来の衛星通信システムは、マルチレート伝送機能を有する変復調装置を採用しており、回線設計上、降雨減衰によるＣ／Ｎの劣化（最大約１０ｄＢのキャリア減衰）を考慮して、誤り訂正機能を一般的に設けている。例えば、畳込み符号（符号化率１／２）等である。この場合、帯域当りのデータ伝送効率は、誤り訂正なしの時を１とすると０．５となり、Ｃ／Ｎに対しては強いものの、伝送効率としては、半分になってしまう。
【０００３】
衛星通信システムでのＣ／Ｎ劣化の主な要因は、降雨減衰である。少しの雨だと数ｄＢ程度の劣化であり、激しい雨が降ると最大１０ｄＢ程度の劣化が生じる。年間を通して考えると、Ｃ／Ｎが１０ｄＢ程度も劣化することは殆どなく、多くの時間は、Ｃ／Ｎが安定している状態であり、誤り訂正機能がなくても、十分に安定した回線品質を確保できるものである。
【０００４】
また、従来の衛星通信システムでは、情報データとして３２ｋｂｐｓの音声／ＦＡＸデータ、６４ｋ〜６３１２ｋｂｐｓ程度の画像データ等が主流であった。また、伝送帯域幅もそれぞれの情報データ速度に対して決まっていた。その為、情報データ信号に誤り訂正の符号化を行う際は、符号化率（例えば、畳込み符号符号化率：１／２）も一定であり、可変にする必要はなかった。
【０００５】
近年の衛星通信システムでは、ＩＰデータ伝送をメインとしたシステムが増えてきている。この場合、局間の通信情報速度は、伝送情報量に適応して可変にしており、例えば、情報量が多い場合は、伝送帯域を広げて、変調速度を最大６ＭＢａｕｄ程度までにしており、また、情報量が少ない場合は、伝送帯域を狭めて、変調速度を最小３５ｋＢａｕｄ程度までにして通信を行うマルチレート方式を用いて、周波数の有効利用を図っている。
【０００６】
しかし、衛星通信システムでは、全体に割り当てられている帯域が最大でも５００ＭＨｚ程度と限られており、情報量に対して伝送帯域を広げるだけでは、多くの情報量を通信したい局が増加するに従って、使用帯域に制限がでてきてしまい、また、帯域に制限ができると、それだけ、情報の伝送時間もかかってしまうことになる。
【０００７】
そこで従来は、回線品質劣化時に、符号化／復号化法を切り替えて回線品質の劣化を補償する通信方式が考えられていた（例えば、特許文献１参照）。
しかしながら、従来の方式では、回線品質が劣化してから符号化／復号化法を切り替えるため、通信環境の変化に対する追従性が著しく低いという問題があった。
【０００８】
【特許文献１】
特開２０００−１２３４５６公報（第５−７頁、図１）。
【０００９】
【発明が解決しようとする課題】
従来の衛星通信システムでは、回線品質が劣化してから符号化／復号化法を切り替えるため、通信環境の変化に対する追従性が著しく低いという問題があった。
この発明は上記の問題を解決すべくなされたもので、通信環境の変化に対して高い追従性で符号化率を適正化し、迅速に回線の利用効率を高めることが可能な衛星通信装置を提供することを目的とする。
【００１０】
【課題を解決するための手段】
上記の目的を達成するために、請求項１に係わる本発明は、人工衛星と通信する衛星通信装置において、受信信号の電力レベルを検出する電力レベル検出手段と、この電力レベル検出手段の検出結果に基づいて、符号化率を決定する決定手段と、この決定手段が決定した符号化率で送信データを符号化して送信する送信制御手段とを具備して構成するようにした。
【００１１】
上記構成の衛星通信装置では、受信信号の電力レベルに基づいて決定した符号化率で送信データを符号化して送信するようにしている。
したがって、上記構成の衛星通信装置によれば、受信信号の電力レベルに基づく符号化率制御により、通信環境が悪化して受信信号に誤りが生じる前に符号化率を可変できるので、通信環境の変化に対して高い追従性で符号化率を適正化し、迅速に回線の利用効率を高めることができる。
【００１２】
また請求項２に係わる本発明は、人工衛星と通信する衛星通信装置において、受信信号に対する誤り訂正の発生率を検出する誤り率検出手段と、受信信号の電力レベルを検出する電力レベル検出手段と、誤り率検出手段の検出結果と、電力レベル検出手段の検出結果とに基づいて、符号化率を決定する決定手段と、この決定手段が決定した符号化率で送信データを符号化して送信する送信制御手段とを具備して構成するようにした。
【００１３】
上記構成の衛星通信装置では、受信信号の電力レベルと、受信信号に対する誤り訂正の発生率とに基づいて決定した符号化率で送信データを符号化して送信するようにしている。
したがって、上記構成の衛星通信装置によれば、受信信号の電力レベルについても考慮して符号化率を決定するので、誤り訂正の発生率のみに基づいて符号化率を変更する場合に比べて、通信環境の変化に対して高い追従性で符号化率を適正化し、迅速に回線の利用効率を高めることができる。
【００１４】
【発明の実施の形態】
以下、図面を参照して、この発明の一実施形態について説明する。
図１は、この発明の一実施形態に係わる衛星通信システムで用いられる地球局の衛星通信装置の構成を示すものである。
【００１５】
畳込み符号化回路１０１は、後述する制御処理部１００からの符号化率情報に基づく符号化率で、制御処理部１００から与えられるＩとＱの各送信データを符号化する。ここで、符号化率は、１／２，３／４，７／８の３種類のいずれかに対応したものである。ここで得られたＩとＱの符号化データは、共にＵＷパターン付加回路１０２に出力される。
【００１６】
ＵＷパターン付加回路１０２は、制御処理部１００からの符号化率情報に基づいて、各符号化率（１／２，３／４，７／８）に対応したＵＷパターンを、畳込み符号化回路１０１から入力されたＩとＱの符号化データに付加する。なお、ここで付加されるＵＷパターンは、常に符号化率「１／２」である。
【００１７】
このようにして、ＵＷパターンが付加されたＩの符号化データは、ルートナイキストフィルタ（ＲＮＦ）１０３ａを介した後、Ｄ／Ａ変換器（Ｄ／Ａ）１０４ａでアナログ信号に変換され、ローパスフィルタ１０５ａを介して、変換器１０６ａに出力される。
同様に、ＵＷパターンが付加されたＱの符号化データは、ルートナイキストフィルタ（ＲＮＦ）１０３ｂを介した後、Ｄ／Ａ変換器（Ｄ／Ａ）１０４ｂでアナログ信号に変換され、ローパスフィルタ１０５ｂを介して、変換器１０６ｂに出力される。
【００１８】
一方、発振器１０８にて生成された発振信号は、移相器（−π／４）１０７ａおよび移相器（＋π／４）１０７ｂによって、互いにπ／２の位相差を有する直交信号に変換される。そして、変換器１０６ａ，１０６ｂにて、ルートナイキストフィルタ１０３ａ，１０３ｂを介したアナログ送信信号の直交変調に用いられる。
【００１９】
このようにして直交変調されたアナログ送信信号は、アッテネータ（ＡＴＴ）１０９を介した後、電力増幅器１１０で増幅され、バンドパスフィルタ１１１で帯域制限を受ける。その後、ＯＤＵ（ＯｕｔＤｏｏｒ  Ｕｎｉｔ）１１２にて、１ＧＨｚ帯の信号から１４／１２ＧＨｚ帯の信号にアップコンバートされて、アンテナ１１３より衛星に向けて送信される。
【００２０】
衛星からアンテナ１１３にて受信された信号は、ＯＤＵ１１２にて１４／１２ＧＨｚ帯の信号から１ＧＨｚ帯の信号にダウンコンバートされる。そして、バンドパスフィルタ１１４で帯域制限を受けた後、ローノイズアンプ１１５で信号増幅され、変換器１１６ａ，１１６ｂに出力される。
【００２１】
一方、発振器１１８にて生成された発振信号は、移相器（−π／４）１１７ａおよび移相器（＋π／４）１１７ｂによって、互いにπ／２の位相差を有する直交信号に変換される。そして、変換器１１６ａ，１１６ｂにて、ローノイズアンプ１１５で信号増幅された受信信号の直交復調に用いられる。
【００２２】
変換器１１６ａにて復調された受信信号は、ローパスフィルタ１１９ａを介した後、増幅器１２０ａで増幅され、受信信号レベル検出回路１２１およびＡ／Ｄ変換器（Ａ／Ｄ）１２２ａに出力される。そして、Ａ／Ｄ変換器１２２ａでディジタル信号に変換された受信信号は、ルートナイキストフィルタ（ＲＮＦ）１２３ａを介した後、ディジタル復調回路１２４に出力される。
【００２３】
同様に、変換器１１６ｂにて復調された受信信号は、ローパスフィルタ１１９ｂを介した後、増幅器１２０ｂで増幅され、受信信号レベル検出回路１２１およびＡ／Ｄ変換器（Ａ／Ｄ）１２２ｂに出力される。そして、Ａ／Ｄ変換器１２２ｂでディジタル信号に変換された受信信号は、ルートナイキストフィルタ（ＲＮＦ）１２３ｂを介した後、ディジタル復調回路１２４に出力される。
【００２４】
受信信号レベル検出回路１２１は、増幅器１２０ａから出力される受信信号の電力レベルと、増幅器１２０ｂから出力される受信信号の電力レベルをそれぞれ検出し、この検出結果を誤り訂正制御回路１２７に出力する。
ディジタル復調回路１２４は、ルートナイキストフィルタ１２３ａおよび１２３ｂの出力を、それぞれディジタル復調し、２つの受信データを再生する。この２つの受信データは、ＵＷパターン検出回路１２５、軟判定ビタビ復号回路１２６および誤り訂正制御回路１２７に出力される。
【００２５】
ＵＷパターン検出回路１２５は、ディジタル復調回路１２４にて再生された２つの受信データから、これらにそれぞれ付加されているＵＷパターンを検出し、この検出したＵＷパターンが示す畳込み符号化率（１／２，３／４，７／８のいずれか）を判定し、この判定結果を制御処理部１００に通知する。
【００２６】
軟判定ビタビ復号回路１２６は、制御処理部１００から通知される符号化率情報に応じた符号化率で、ディジタル復調回路１２４にて再生された２つの受信データを復号し、ＩとＱの各受信データを再生し、制御処理部１００に出力する。
【００２７】
誤り訂正制御回路１２７は、ディジタル復調回路１２４にて再生された２つの受信データの誤り訂正の発生頻度を測定し、この測定した発生頻度と、受信信号レベル検出回路１２１の検出レベルとに基づいて符号化率を決定し、これを制御処理部１００に通知する。
【００２８】
ここで、図２を参照して、誤り訂正制御回路１２７の畳込み符号化率制御について説明する。図２はその制御動作を説明するためのフローチャートである。  誤り訂正制御回路１２７は、ステップ２ａにおいて、データ通信中か否かを判定する。ここでデータ通信中の場合には、ステップ２ｂに移行し、一方、データ通信中でない場合には、ステップ２ｆに移行する。
【００２９】
ステップ２ｂにおいて、誤り訂正制御回路１２７は、ディジタル復調回路１２４にて再生された２つの受信データの誤り訂正の発生頻度を測定し、ステップ２ｃに移行する。
ステップ２ｃにおいて、誤り訂正制御回路１２７は、ステップ２ｂで計測した誤り訂正の発生頻度が、予め設定した第１の基準値以下であるか否かを判定する。ここで、ステップ２ｂで計測した誤り訂正の発生頻度が、予め設定した第１の基準値以下である場合には、ステップ２ｄに移行し、上記発生頻度が、予め設定した第１の基準値より高い場合には、ステップ２ｆに移行する。
【００３０】
ステップ２ｄにおいて、誤り訂正制御回路１２７は、受信信号レベル検出回路１２１が検出した検出レベルが、予め設定した第２の基準値以上であるか否かを判定する。ここで、受信信号レベル検出回路１２１が検出した検出レベルが、予め設定した第２の基準値以上である場合には、ステップ２ｈに移行し、上記検出レベルが、予め設定した第２の基準値未満の場合には、ステップ２ｅに移行する。
【００３１】
ステップ２ｅにおいて、誤り訂正制御回路１２７は、受信信号レベル検出回路１２１が検出した検出レベルが、予め設定した第３の基準値（＜第２の基準値）以上であるか否かを判定する。ここで、受信信号レベル検出回路１２１が検出した検出レベルが、予め設定した第３の基準値以上である場合には、ステップ２ｇに移行し、上記検出レベルが、予め設定した第３の基準値未満の場合には、ステップ２ｆに移行する。
【００３２】
ステップ２ｆにおいて、誤り訂正制御回路１２７は、畳込み符号化率を初期値の「１／２」にするべきと判定し、これを制御処理部１００に通知し、ステップ２ａに移行する。これに対して制御処理部１００は、通知された判定結果に基づいて、符号化率情報として「１／２」を、畳込み符号化回路１０１およびＵＷパターン付加回路１０２に与え、符号化率情報「１／２」に対応するＵＷパターンを含む誤り訂正要求信号を通信相手に宛てて送信させる。その後、制御処理部１００は、通信相手から符号化率の変更を受け入れる誤り訂正要求応答信号を受信すると、この応答信号で示されるタイミングで誤り訂正変更信号を通信相手に送信させ、各部を制御して、符号化率「１／２」で送受信を行わせる。なおこの時すでに、畳込み符号化率が「１／２」に設定されている場合には、ステップ２ｆの処理は行わず、ステップ２ａに移行する。
【００３３】
ステップ２ｇにおいて、誤り訂正制御回路１２７は、畳込み符号化率を「３／４」にするべきと判定し、これを制御処理部１００に通知し、ステップ２ａに移行する。これに対して制御処理部１００は、通知された判定結果に基づいて、符号化率情報として「３／４」を、畳込み符号化回路１０１およびＵＷパターン付加回路１０２に与え、符号化率情報「３／４」に対応するＵＷパターンを含む誤り訂正要求信号を通信相手に宛てて送信させる。その後、制御処理部１００は、通信相手から符号化率の変更を受け入れる誤り訂正要求応答信号を受信すると、この応答信号で示されるタイミングで誤り訂正変更信号を通信相手に送信させ、各部を制御して、符号化率「３／４」で送受信を行わせる。なおこの時すでに、畳込み符号化率が「３／４」に設定されている場合には、ステップ２ｇの処理は行わず、ステップ２ａに移行する。
【００３４】
ステップ２ｈにおいて、誤り訂正制御回路１２７は、畳込み符号化率を「７／８」にするべきと判定し、これを制御処理部１００に通知し、ステップ２ａに移行する。これに対して制御処理部１００は、通知された判定結果に基づいて、符号化率情報として「７／８」を、畳込み符号化回路１０１およびＵＷパターン付加回路１０２に与え、符号化率情報「７／８」に対応するＵＷパターンを含む誤り訂正要求信号を通信相手に宛てて送信させる。その後、制御処理部１００は、通信相手から符号化率の変更を受け入れる誤り訂正要求応答信号を受信すると、この応答信号で示されるタイミングで誤り訂正変更信号を通信相手に送信させ、各部を制御して、符号化率「７／８」で送受信を行わせる。なおこの時すでに、畳込み符号化率が「７／８」に設定されている場合には、ステップ２ｈの処理は行わず、ステップ２ａに移行する。
【００３５】
制御処理部１００は、図示しない端末装置からの指示に応じて、当該衛星通信装置の各部を統括して制御するものであって、ＵＷパターン検出回路１２５や誤り訂正制御回路１２７の判定結果に基づいて符号化率情報を生成し、これを畳込み符号化回路１０１およびＵＷ（ユニークワード）パターン付加回路１０２に与えて通信相手局とやりとりを行い、送受信で用いる符号化率の可変制御を行う。
【００３６】
次に、上記構成の衛星通信装置を用いた地球局Ａ，Ｂが、衛星局ＳＴを介して通信する場合の動作について説明する。図３は、その動作のシーケンスを示すものである。地球局Ａは、端末装置１０Ａと衛星通信装置１００Ａとを備え、地球局Ｂは、端末装置１０Ｂと衛星通信装置１００Ｂとを備える。ここでは特に、誤り訂正の符号化率を変更するシーケンスを含む動作について説明する。
【００３７】
まず、回線割り当てを行うシーケンスＳ１について説明する。
地球局Ａでは、端末装置１０Ａからの発信要求を衛星通信装置１００Ａが受けると、衛星通信装置１００Ａは、衛星局ＳＴに対して回線の割り当てを要求する。これに対して、衛星局ＳＴは、空き回線を検出し、その空き回線を端末装置１０Ａおよび端末装置１０Ｂに対して指定する。これに対して衛星通信装置１００Ａは、上記割り当てられた空き回線を通じて発信情報を送信し、一方、衛星通信装置１００Ｂは、上記割り当てられた空き回線を通じて回線を確認する情報を送信する。
【００３８】
衛星局ＳＴは、上記割り当てた回線を通じて衛星通信装置１００Ａから発信情報を受信すると、これを衛星通信装置１００Ｂに転送する。これに対して衛星通信装置１００Ｂは、上記発信情報に対する応答信号（発信情報応答）を送信するとともに、端末装置１０Ｂを起動する。端末装置１０Ｂが起動して、応答信号が衛星通信装置１００Ｂに与えられると、衛星通信装置１００Ｂは、応答信号を衛星局ＳＴに送信する。
【００３９】
これに対して衛星局ＳＴは、衛星通信装置１００Ｂから受信した上記発信情報応答および応答信号を衛星通信装置１００Ａに宛てて送信する。これに対して衛星通信装置１００Ａは、衛星局ＳＴに応答確認信号を送信する。これに対して衛星局ＳＴは、衛星通信装置１００Ａから受信した上記応答確認信号を衛星通信装置１００Ｂに宛てて送信する。以上により、地球局Ａと地球局Ｂとの間には、衛星局ＳＴを介した通信リンクが確立し、続くシーケンスＳ２にてデータ通信が開始される。
【００４０】
シーケンスＳ２では、符号化率を「１／２」でデータ通信を開始し、図２に示した畳込み符号化率制御により、衛星通信装置１００Ａの誤り訂正制御回路１２７が符号化率を「７／８」に変更するべきと判定したとする。この判定結果は、制御処理部１００に通知される。これに対して制御処理部１００は、通知された判定結果を符号化率情報として畳込み符号化回路１０１およびＵＷパターン付加回路１０２に与え、地球局Ｂに宛てて誤り訂正要求として送信させる。
【００４１】
これに対して衛星通信装置１００Ｂでは、ＵＷパターン検出回路１２５が、ディジタル復調回路１２４にて再生された２つの受信データから、これらにそれぞれ付加されているＵＷパターンを検出し、この検出したＵＷパターンから、衛星通信装置１００Ａが畳込み符号化率を「７／８」にする要求をしていることを検出し、これを制御処理部１００に通知する。これに対して制御処理部１００は、誤り訂正制御回路１２７に対して、符号化率を「７／８」にすべきかを判定させる。そして、誤り訂正制御回路１２７が、符号化率「７／８」を適正と判断すると、制御処理部１００は、誤り訂正要求の応答信号を送信させる。
【００４２】
この後、衛星通信装置１００Ｂから上記応答信号を受信した衛星通信装置１００Ａと、上記応答信号を送信した衛星通信装置１００Ｂは、上記応答信号内の情報で示されるタイミングで、互いに誤り訂正の符号化率を変更する信号を送信し、他方からその信号を受け取ると、シーケンスＳ３として、それぞれ畳込み符号化率「７／８」でデータ送信を開始する。
【００４３】
やがて、シーケンスＳ４として、データ通信が終了するために、端末装置１０Ａから切断の要求を衛星通信装置１００Ａが受けると、衛星通信装置１００Ａは、衛星局ＳＴに対して切断信号を送信する。この信号は、衛星局ＳＴを通じて衛星通信装置１００Ｂに転送される。
【００４４】
衛星通信装置１００Ｂは、上記切断信号を受信すると、衛星局ＳＴに対して切断応答信号を送信するとともに、端末装置１０Ｂに対して切断通知を行い、端末装置１０Ｂとの通信リンクを切断する。そして、衛星通信装置１００Ａおよび衛星通信装置１００Ｂは、それぞれ復旧を衛星局ＳＴに求め、これに対して衛星局ＳＴは、復旧確認を示す信号を衛星通信装置１００Ａおよび衛星通信装置１００Ｂに送信する。この信号を受信した衛星通信装置１００Ａおよび衛星通信装置１００Ｂは、それぞれ端末装置１０Ａ、端末装置１０Ｂに終了を通知して、通信が終了する。
【００４５】
図４は、上述したシーケンスで衛星通信装置１００Ａおよび衛星通信装置１００Ｂからそれぞれ送信される信号フレームを１つの時間軸上で示したものである。
この図に示す送信データのうち、誤り訂正の畳込み符号化率を変更するための制御信号である誤り訂正要求信号Ｃａ１、誤り訂正要求応答信号Ｃｂ１、誤り訂正変更信号Ｃａ２，Ｃｂ２については、常時安定した回線品質を確保するために、誤り訂正の符号化率変更の対象とはせず、常に符号化率は「１／２」で送信される。
【００４６】
以上のように、上記構成の衛星通信装置１００Ａおよび衛星通信装置１００Ｂでは、地球局において誤り訂正の発生率と受信信号の電力レベルをそれぞれ検出し、これらの検出結果に基づいて決定した誤り訂正の符号化率を通信相手局に通知し、データ通信に用いる符号化率を変更するようにしている。
【００４７】
したがって、上記構成の衛星通信装置１００Ａおよび衛星通信装置１００Ｂによれば、受信信号の電力レベルについても考慮して符号化率を決定するので、誤り訂正の発生率のみに基づいて上記符号化率を変更する場合に比べて、通信環境の変化に対して高い追従性で符号化率を適正化し、迅速に回線の利用効率を高めることができる。
【００４８】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００４９】
その一例として例えば、上記実施の形態では、誤り訂正の発生率と受信信号の電力レベルをそれぞれ検出し、これらの検出結果に基づいて、誤り訂正の符号化率を変更するようにして構成したが、受信信号の電力レベルの検出結果のみに基づいて、他段階の閾値判定により、複数の誤り訂正の符号化率を選択的に用いるようにしてもよい。
【００５０】
また上記実施の形態では、通信を行う２つの地球局Ａ，Ｂの間で互いに適した符号化率を確認し合った後に、実際に用いる符号化率を決定するようにしたが、これに変わって例えば、いずれか一方の地球局の判断で符号化率を変え、相手側に対して用いる符号化率を通知するようにしてもよい。
【００５１】
そしてまた、上記実施の形態では、２つの地球局Ａ，Ｂが互いに同じ符号化率で通信を行う構成を示したが、異なる符号化率で通信するシステムにも適用できる。また地球局Ａと衛星局ＳＴの間と、地球局Ｂと衛星局ＳＴの間とでそれぞれ異なる符号化率を用いるシステムにも適用できる。
【００５２】
その他、この発明の要旨を逸脱しない範囲で種々の変形を施しても同様に実施可能であることはいうまでもない。
【００５３】
【発明の効果】
以上述べたように、この発明では、受信信号の電力レベルに基づいて決定した符号化率で送信データを符号化して送信するようにしている。
したがって、この発明によれば、受信信号の電力レベルに基づく符号化率制御により、通信環境が悪化して受信信号に誤りが生じる前に符号化率を可変できるので、通信環境の変化に対して高い追従性で符号化率を適正化し、迅速に回線の利用効率を高めることが可能な衛星通信装置を提供できる。
【００５４】
またこの発明では、受信信号の電力レベルと、受信信号に対する誤り訂正の発生率とに基づいて決定した符号化率で送信データを符号化して送信するようにしている。
したがって、この発明によれば、受信信号の電力レベルについても考慮して符号化率を決定するので、誤り訂正の発生率のみに基づいて符号化率を変更する場合に比べて、通信環境の変化に対して高い追従性で符号化率を適正化し、迅速に回線の利用効率を高めることが可能な衛星通信装置を提供できる。
【図面の簡単な説明】
【図１】この発明に係わる衛星通信システムで用いられる地球局の衛星通信装置の構成を示す回路ブロック図。
【図２】図１に示した衛星通信装置の誤り訂正制御回路の動作を説明するためのフローチャート。
【図３】この発明に係わる衛星通信システムの通信シーケンスの一例を示す図。
【図４】図４に示した通信シーケンスにしたがって、２つの地球局が送信する信号のフレーム構成を示す図。
【符号の説明】
１００Ａ…衛星通信装置、１００Ｂ…衛星通信装置、１０Ａ…端末装置、１０Ｂ…端末装置、１００…制御処理部、１０１…畳込み符号化回路、１０２…パターン付加回路、１０３ａ…ルートナイキストフィルタ（ＲＮＦ）、１０３ｂ…ルートナイキストフィルタ（ＲＮＦ）、１０４ａ…Ｄ／Ａ変換器（Ｄ／Ａ）、１０４ｂ…Ｄ／Ａ変換器（Ｄ／Ａ）、１０５ａ…ローパスフィルタ、１０５ｂ…ローパスフィルタ、１０６ａ…変換器、１０６ｂ…変換器、１０７ａ…移相器（−π／４）、１０７ｂ…移相器（＋π／４）、１０８…発振器、１０９…アッテネータ（ＡＴＴ）、１１０…電力増幅器、１１１…バンドパスフィルタ、１１２…ＯＤＵ（ＯｕｔＤｏｏｒ  Ｕｎｉｔ）、１１３…アンテナ、１１４…バンドパスフィルタ、１１５…ローノイズアンプ、１１６ａ…変換器、１１６ｂ…変換器、１１７ａ…移相器（−π／４）、１１７ｂ…移相器（＋π／４）、１１８…発振器、１１９ａ…ローパスフィルタ、１１９ｂ…ローパスフィルタ、１２０ａ…増幅器、１２０ｂ…増幅器、１２１…受信信号レベル検出回路、１２２ａ…Ａ／Ｄ変換器（Ａ／Ｄ）、１２２ｂ…Ａ／Ｄ変換器（Ａ／Ｄ）、１２３ａ…ルートナイキストフィルタ（ＲＮＦ）、１２３ｂ…ルートナイキストフィルタ（ＲＮＦ）、１２４…ディジタル復調回路、１２５…ＵＷパターン検出回路、１２６…軟判定ビタビ復号回路、１２７…誤り訂正制御回路、Ａ…地球局、Ｂ…地球局、ＳＴ…衛星局。
【図１】
2004356665.tif 000003
【図２】
2004356665.tif 000004
【図３】
2004356665.tif 000005
【図４】
2004356665.tif 000006